(57)【要約】      （修正有）【課題】扉錠の施錠状態が感知でき、正しく施錠されたかどうか知らせることができる扉錠感知装置を提供する。【解決手段】扉装置第１の領域、及び第２の領域を含み、扉装置の第１の領域に扉錠の扉錠突出部１Ａが配置され、扉装置の第２の領域に扉錠の収容部１Ｂが配置される。収容部１Ｂは扉錠突出部１Ａを収容するために用いられ、扉錠感知装置３が収容部１Ｂに配置され、扉錠感知装置３は、感知モジュールを含む。感知モジュールは、扉錠突出部１Ａを収容するための中空シリンダー３２１と、中空シリンダー３２１のボトムに配置される感知要素３２２と、中空シリンダー３２１の外面に配置される第１の誘導コイル３２３とを含む。【選択図】図２
0003222864.tif 000002
【実用新案登録請求の範囲】
【請求項１】
扉装置に配置される扉錠感知装置であって、
前記扉装置は、扉錠の扉錠突出部が配置された第１の領域と、前記扉錠突出部を収容するための前記扉錠の収容部が配置された第２の領域とを含み、
前記扉錠感知装置は感知モジュールを含んで前記収容部に配置され、
前記感知モジュールは、
前記扉錠突出部を収容するための中空シリンダーと、
前記中空シリンダーのボトムに配置される感知要素と、
前記中空シリンダーの外面に配置される第１の誘導コイルと
を備える、ことを特徴とする、扉錠感知装置。
【請求項２】
前記感知モジュールは、前記扉装置の前記第２の領域に配置される、請求項１に記載の扉錠感知装置。
【請求項３】
前記感知モジュールにおいて、中空シリンダーに前記第１の誘導コイルの片側に第２の誘導コイルがさらに配置される、請求項１に記載の扉錠感知装置。
【請求項４】
前記感知モジュールにおいて、前記中空シリンダーに前記第２の誘導コイルの片側に、第３の誘導コイルがさらに配置される、請求項３に記載の扉錠感知装置。
【請求項５】
前記感知モジュールにおいて、前記中空シリンダーに前記第３の誘導コイルの片側に、第４の誘導コイルがさらに配置される、請求項４に記載の扉錠感知装置。
【請求項６】
前記第１の誘導コイルに電気的に接続される制御モジュールをさらに含む、請求項５に記載の扉錠感知装置。
【請求項７】
前記第２の誘導コイル、前記第３の誘導コイル、及び前記第４の誘導コイルはそれぞれ前記制御モジュールに電気的に接続される、請求項６に記載の扉錠感知装置。
【請求項８】
前記中空シリンダーはプラスチックで構成される、請求項１から７のいずれか１項に記載の扉錠感知装置。
【請求項９】
第１の領域及び、及び第２の領域を含む扉装置に配置され、前記扉装置の前記第１の領域に配置される扉錠突出部と前記扉錠突出部を収容するための収容部とを備える扉錠であって、
前記収容部に制御モジュール及び感知モジュールを含む扉錠感知装置が配置され、前記感知モジュールは、中空シリンダー、感知要素、及び第１の誘導コイルを含み、前記中空シリンダーは、前記扉錠突出部を収容するために用いられ、前記感知要素は、前記中空シリンダーのボトムに配置され、前記第１の誘導コイルは、前記中空シリンダーの外面或いは前記中空シリンダーの側壁に配置される、ことを特徴とする、扉錠。
【考案の詳細な説明】
【技術分野】
【０００１】
本考案は、モニターシステムに関し、特に電力量計モニターシステムに関する。
【背景技術】
【０００２】
多くの使用者が出かけるとき、ドアが閉められたことを覚えているが、ドアが施錠されたかどうかについてよく忘れてしまう。現在、自動施錠機能付きの防犯錠が市販されているが、その施錠が正しく作動するかどうか、使用者にとっては、依然として常に確定したい情報である。
【０００３】
そのため、扉錠の施錠状態が感知でき、使用者に扉錠が正しく施錠されたかどうかについて知らせることができる扉錠感知装置を提供することは、業界にとって重要な課題となっている。
【考案の概要】
【考案が解決しようとする課題】
【０００４】
本考案が解決しようとする課題では、既存技術の不足に対して、扉装置に配置される扉錠感知装置を提供する。
【課題を解決するための手段】
【０００５】
本考案が上記課題を解決する手段では、扉装置に配置される扉錠感知装置を提供する。前記扉装置は、第１の領域、及び第２の領域を含む。前記扉装置の前記第１の領域に扉錠の扉錠突出部が配置され、前記扉装置の前記第２の領域に前記扉錠の収容部が配置される。前記収容部は、前記扉錠突出部を収容するために用いられる。前記扉錠感知装置は、前記収容部に配置される。前記扉錠感知装置は、感知モジュールを含む。前記感知モジュールは、前記扉錠突出部を収容するための中空シリンダーと、前記中空シリンダーのボトムに配置される感知要素と、設置在前記中空シリンダーの外面に配置される第１の誘導コイルとを含む。
【０００６】
上記の課題を解決するために、本考案が採用する別の技術手段では、扉装置に配置される扉錠を提供する。前記扉装置は、第１の領域、及び第２の領域を含む。前記扉錠は、前記扉装置の前記第１の領域に配置される扉錠突出部と、前記扉錠突出部を収容するための収容部を含む。前記収容部に、扉錠感知装置が配置される。前記扉錠感知装置は制御モジュール、及び感知モジュールを含む。前記感知モジュールは、中空シリンダー、感知要素、及び第１の誘導コイルを含む。前記中空シリンダーは前記扉錠突出部を収容するために用いられる。前記感知要素は前記中空シリンダーのボトムに配置され、前記第１の誘導コイルは、前記中空シリンダーの外面または前記中空シリンダーの側壁に配置される。
【考案の効果】
【０００７】
本考案による有益な効果の１つとしては、本考案が提供する扉錠感知装置によれば、扉錠の施錠状態について簡単に知ることができる。使用者が出かけた後に自身が扉装置の扉錠をかけたかどうかについて疑う悩みを削除できて、扉錠の使用体験をこれまで以上に改善することができる。
【図面の簡単な説明】
【０００８】
【図１】本考案の実施形態による扉錠が扉装置に配置された状態を示す模式図である。
【図２】本考案の実施形態による扉錠の扉錠突出部及び収容部を示す模式図である。
【図３】本考案の実施形態による扉錠感知装置を示す模式図である。
【考案を実施するための形態】
【０００９】
本考案の特徴及び技術内容がより一層分かるように、以下本考案に関する詳細な説明と添付図面を参照する。しかし、提供される添付図面は参考と説明のために提供するものに過ぎず、本考案の特許請求の範囲を制限するためのものではない。
【００１０】
下記より、具体的な実施例で本考案が開示する「扉錠及び扉錠感知装置」に係る実施形態を説明する。当業者は本明細書の公開内容により本考案のメリット及び効果を理解し得る。本考案は他の異なる実施形態により実行又は応用できる。本明細書における各細節も様々な観点又は応用に基づいて、本考案の精神逸脱しない限りに、均等の変形と変更を行うことができる。また、本考案の図面は簡単で模式的に説明するためのものであり、実際的な寸法を示すものではない。以下の実施形態において、さらに本考案に係る技術事項を説明するが、公開された内容は本考案を限定するものではない。
【００１１】
なお、本明細書において「第１」、「第２」、「第３」等の用語で各種の部品又は信号を説明する可能性があるが、これらの部品又は信号はこれらの用語によって制限されるものではない。これらの用語は、主として一つの部品と別の部品、又は一つの信号と別の信号を区分するためのものであることが理解されたい。また、本明細書に用いられる「又は」という用語は、実際の状況に応じて、関連する項目中の何れか一つ又は複数の組合せを含み得る。
【００１２】
［第１の実施形態］
図１、図２及び図３に示すように、図１は、本考案の実施形態による扉錠が扉装置に配置される状態を示す模式図である。図２は、本考案の実施形態による扉錠の扉錠突出部及び収容部を示す模式図である。図３は、本考案の実施形態による扉錠感知装置を示す模式図である。
【００１３】
扉錠１は、扉装置２に配置される。扉装置２は、第１の領域２Ａ、及び第２の領域２Ｂを含む。扉装置２における第１の領域２Ａは、移動可能の領域でり、扉装置２の第２の領域２Ｂは固定された領域であるが、別の実施形態では、実際のニーズに応じて調整でき、本考案では制限されない。
【００１４】
扉錠１は、扉錠突出部１Ａ、及び収容部１Ｂを含む。収容部１Ｂは、扉錠突出部１Ａの突出ロッド１Ａ−１を収容するために用いられる。扉錠突出部１Ａは、扉装置２の第１の領域２Ａに配置される。収容部１Ｂは、扉装置２の第２の領域２Ｂに配置される。別の実施形態では、収容部１Ｂは、扉装置２の第２の領域２Ｂに配置されてもよく、本考案では制限されない。
【００１５】
扉錠感知装置３は、収容部１Ｂに配置される。図１に示すように、扉錠感知装置３は、収容部１Ｂの片側に配置される。即ち、扉錠感知装置３は、収容部１Ｂと同様に扉装置２の第２の領域２Ｂに配置される。
【００１６】
扉錠感知モジュール３は、制御モジュール３１、及び感知モジュール３２を含む。制御モジュール３１は感知モジュール３２に電気的に接続される。
【００１７】
感知モジュールは、中空シリンダー３２１、感知要素３２２、及び第１の誘導コイル３２３を含む。
【００１８】
中空シリンダー３２１の一方側に開け口が配置され、中空シリンダー３２１の他方側に下側壁が配置される。感知要素３２２は、中空シリンダー３２１の下側壁（ボトム）に配置される。
【００１９】
第１の誘導コイル３２３は、中空シリンダー３２１の外面に配置される。別の実施形態において、第１の誘導コイル３２３は、中空シリンダーのシリンダ周壁内に配置され、本考案では制限されない。本実施形態において、感知モジュール３２は、第２の誘導コイル３２４、第３の誘導コイル３２５、及び第４の誘導コイル３２６をさらに備える。第２の誘導コイル３２４、第３の誘導コイル３２５、及び第４の誘導コイル３２６を中空シリンダー３２１の外面に配置してもよいし、或いは、中空シリンダー３２１のシリンダ周壁内に配置してもよい。
【００２０】
中空シリンダー３２１は例えば、プラスチックで構成されてもよい。実際の製品では、中空シリンダー３２１を構成する材料は導電性のない材料であればよい。本実施形態において、第１の誘導コイル３２３、第２の誘導コイル３２４、第３の誘導コイル３２５、及び第４の誘導コイル３２６は、中空シリンダー３２１を射出成型すると共に配置するように形成されてもよいため、第１の誘導コイル３２３、第２の誘導コイル３２４、第３の誘導コイル３２５、及び第４の誘導コイル３２６を中空シリンダー３２１のシリンダ周壁内に配置されてもよい。
【００２１】
中空シリンダー３２１は、扉錠突出部１Ａの突出ロッド１Ａ−１を収容するために用いられる。扉錠１は多段ロックである。詳しく言えば、扉錠突出部１Ａの突出ロッド１Ａ−１は異なる長さになるように伸びることができ、即ち、扉錠突出部１Ａの突出ロッド１Ａ−１は、中空シリンダー３２１の中の柱状スペースの異なる位置まで伸びることができる。
【００２２】
第１の誘導コイル３２３、第２の誘導コイル３２４、第３の誘導コイル３２５、及び第４の誘導コイル３２６は、扉錠突出部１Ａの突出ロッド１Ａ−１の長さに応じて、中空シリンダー３２１の異なる位置に配置される即ち、扉錠突出部１Ａの突出ロッド１Ａ−１の最大の長さは、第４の誘導コイル３２６の位置まで延在する。
【００２３】
扉錠突出部１Ａの突出ロッド１Ａ−１の長さは４つの変化があるため、４つの誘導コイルを配置した。４つの誘導コイルの位置は、それぞれ扉錠突出部１Ａの突出ロッド１Ａ−１の長さの４種類の変化と対応するように配置される。即ち、扉錠突出部１Ａの突出ロッド１Ａ−１の長さのそれぞれの変化は対応的に１つの誘導コイルの位置に延在する。
【００２４】
本実施形態において、第１の誘導コイル３２３は、中空シリンダー３２１に扉錠突出部１Ａに近接する位置に配置される。第２の誘導コイル３２４は、第１の誘導コイル３２３の片側に配置される。かつ、第２の誘導コイル３２４と第１の誘導コイル３２３との間に第１の所定距離Ｄ１が設けられる。第３の誘導コイル３２５は、第２の誘導コイル３２４の片側に配置される。かつ、第３の誘導コイル３２５と第２の誘導コイル３２４との間に第２の所定距離Ｄ２が設けられる。第４の誘導コイル３２６は、第３の誘導コイル３２５の片側に配置される。かつ、第４の誘導コイル３２６と第３の誘導コイル３２５との間に第３の所定距離Ｄ３が設けられる。
【００２５】
第１の所定距離Ｄ１、第２の所定距離Ｄ２、及び第３の所定距離Ｄ３が同じであってもよいし、別の実施形態では、第１の所定距離Ｄ１、第２の所定距離Ｄ２、及び第３の所定距離Ｄ３が異なる距離であってもよい。詳しく言えば、誘導コイルの間の距離は扉錠突出部１Ａの突出ロッド１Ａ−１のデザインに応じて調整することができ、本考案では制限されない。
【００２６】
感知要素３２２は、近距離無線通信（Ｎｅａｒ−ｆｉｅｌｄ  ｃｏｍｍｕｎｉｃａｔｉｏｎ）感知チップであり、近距離無線通信の感知アンテナが含まれている。
【００２７】
第１の誘導コイル３２３、第２の誘導コイル３２４、第３の誘導コイル３２５、及び第４の誘導コイル３２６はそれぞれ制御モジュール３１と電気的に接続される。
【００２８】
第１の誘導コイル３２３、第２の誘導コイル３２４、第３の誘導コイル３２５、及び第４の誘導コイル３２６は、それぞれ感知要素３２２を感知する。第１の誘導コイル３２３、第２の誘導コイル３２４、第３の誘導コイル３２５及び第４の誘導コイル３２６がそれぞれ感知要素３２２を感知した場合、制御モジュール３１は扉錠１が掛かってないと確認できる。詳しく言えば、扉錠１の扉錠突出部１Ａの突出ロッド１Ａ−１は収容部１Ｂ及び扉錠感知装置３の中空シリンダー３２１内に延び込んでいない。
【００２９】
扉錠感知装置３は、通信モジュール３３をさらに備え、制御モジュール３１は、通信モジュール３３に電気的に接続される。扉錠感知装置３は、通信モジュール３３を介してサーバー（図示しない）と通信可能に接続される。
【００３０】
第１の誘導コイル３２３、第２の誘導コイル３２４、第３の誘導コイル３２５、及び第４の誘導コイル３２６がそれぞれ感知要素３２２を検知した場合、制御モジュール３１は、通信モジュール３３を介して未施錠信号をサーバー（図示しない）に送信する。
【００３１】
扉錠突出部１Ａの突出ロッド１Ａ−１が中空シリンダー３２１内に延び込んで、かつ第４の誘導コイル３２６の位置まで伸びた時、制御モジュール３１は、通信モジュール３３を介して施錠済信号をサーバー（図示しない）に送信する。
【００３２】
扉錠突出部１Ａの突出ロッド１Ａ−１は金属棒である。各誘導コイルは、電磁誘導によって感知要素３２２の感知アンテナで電流を生じて、さらに制御モジュール３１に検知信号を受信させる。
【００３３】
扉錠突出部１Ａの突出ロッド１Ａ−１が中空シリンダー３２１におけるいずれの誘導コイルの位置まで伸びた場合、扉錠突出部１Ａの突出ロッド１Ａ−１はその誘導コイルによる感知要素３２２の検知に影響を与える。即ち、扉錠突出部１Ａの突出ロッド１Ａ−１は、誘導コイルと感知要素３２２との電磁誘導を遮断した。
【００３４】
扉錠突出部１Ａの突出ロッド１Ａ−１が中空シリンダー３２１内の第１の誘導コイル３２３の位置に伸びた時、扉錠突出部１Ａの突出ロッド１Ａ−１は、第１の誘導コイル３２３による感知要素３２２の感知に影響を与える。即ち、扉錠突出部１Ａの突出ロッド１Ａ−１は、第１の誘導コイル３２３と感知要素３２２との電磁誘導を遮断した。
【００３５】
扉錠突出部１Ａの突出ロッド１Ａ−１が中空シリンダー３２１内の第２の誘導コイル３２４の位置まで伸びた場合、扉錠突出部１Ａの突出ロッド１Ａ−１は、第１の誘導コイル３２３及び第２の誘導コイル３２４による感知要素３２２の感知に影響を与える。即ち、扉錠突出部１Ａの突出ロッド１Ａ−１が第１の誘導コイル３２３及び第２の誘導コイル３２４と感知要素３２２との間の電磁誘導を遮断した。
【００３６】
扉錠突出部１Ａの突出ロッド１Ａ−１は、中空シリンダー３２１内の第３の誘導コイル３２５の位置に伸びた場合、扉錠突出部１Ａの突出ロッド１Ａ−１は、第１の誘導コイル３２３、第２の誘導コイル３２４及び第３の誘導コイル３２５による感知要素３２２に感知に影響を与える。即ち、扉錠突出部１Ａの突出ロッド１Ａ−１が第１の誘導コイル３２３、第２の誘導コイル３２４、及び第３の誘導コイル３２５と感知要素３２２との電磁誘導を遮断した。
【００３７】
扉錠突出部１Ａの突出ロッド１Ａ−１が中空シリンダー３２１内の第４の誘導コイル３２６の位置に伸びた時、扉錠突出部１Ａの突出ロッド１Ａ−１は、第１の誘導コイル３２３、第２の誘導コイル３２４、第３の誘導コイル３２５及び第４の誘導コイル３２６による感知要素３２２感知に影響を与える。即ち、扉錠突出部１Ａの突出ロッド１Ａ−１が第１の誘導コイル３２３、第２の誘導コイル３２４、第３の誘導コイル３２５、及び第４の誘導コイル３２６と感知要素３２２との電磁誘導を遮断した。
【００３８】
使用者は、移動装置（図示しない）により扉錠１の施錠状態を知ることができる。移動装置にて扉錠突出部の複数種類の長さに対応して、現在の施錠状態を示すことができる。
【００３９】
本考案による有益な効果の１つとしては、本考案が提供する扉錠感知装置によれば、扉錠の施錠状態について簡単に知ることができる。使用者が出かけた後に自身が扉装置の扉錠をかけたかどうかについて疑う悩みを削除できて、扉錠の使用体験をこれまで以上に改善することができる。
【００４０】
以上に開示される内容は本考案の好ましい実施可能な実施例に過ぎず、これにより本考案の特許請求の範囲を制限するものではないので、本考案の明細書及び添付図面の内容に基づき為された等価の技術変形は、全て本考案の特許請求の範囲に含まれるものとする。
【符号の説明】
【００４１】
１：扉錠
２：扉装置
３：扉錠感知装置
１Ａ：扉錠突出部
１Ｂ：収容部
２Ａ：第１の領域
２Ｂ：第２の領域
３１：制御モジュール
３２：感知モジュール
３３：通信モジュール
１Ａ−１：突出ロッド
３２１：中空シリンダー
３２２：感知要素
３２３：第１の誘導コイル
３２４：第２の誘導コイル
３２５：第３の誘導コイル
３２６：第４の誘導コイル
Ｄ１：第１の所定距離
Ｄ２：第２の所定距離
Ｄ３：第３の所定距離 
【図１】
0003222864.tif 000003
【図２】
0003222864.tif 000004
【図３】
0003222864.tif 000005